(57)【要約】【課題】少ない消費電力で排水桝内の雨水等の水面の凍結を防止でき、水面の凍結に起因する油の誤検知を防止できる漏油検出装置の提供を目的とする。【解決手段】漏油検出装置１は、排水桝２内の水面３ａに浮かせた状態で使用され、排水桝２内に流入した油を検知する漏油検出器４と、水面３ａの凍結を防止する水面凍結防止装置６と、を備えている。水面凍結防止装置１は、エアーポンプ７と、排水桝２内の水３に沈められて使用され、エアーポンプ７から空気配管１１を介して送られてくる空気を複数の孔１０ｂから排水桝２内の水３に放出して、排水桝２内の水３に気泡５を発生させる泡発生体１０と、を有している。【選択図】図１
2020041946.tif 000002
【特許請求の範囲】
【請求項１】
排水桝内の水面に浮かせた状態で使用され、前記排水桝内に流入した油を検知する漏油検出器と、前記水面の凍結を防止する水面凍結防止装置と、を備えた漏油検出装置において、
前記水面凍結防止装置は、
エアーポンプと、
前記排水桝内の水に沈められて使用され、前記エアーポンプから空気配管を介して送られてくる空気を複数の孔から前記排水桝内の水に放出して、前記排水桝内の水に気泡を発生させる泡発生体と、を有する、
ことを特徴とする漏油検出装置。
【請求項２】
前記水面凍結防止装置は、前記排水桝内の水位の変化に伴う前記漏油検出器の昇降をガイドするガイド部材が前記空気配管の一部を構成する、
ことを特徴とする請求項１に記載の漏油検出装置。
【請求項３】
前記泡発生体は、導電性部材で形成され、前記排水桝内の水位が下がり、前記漏油検出器の複数の油検出部が接触すると、前記複数の油検出部を導通する、
ことを特徴とする請求項１に記載の漏油検出装置。
【請求項４】
前記エアーポンプは、前記漏油検出器に取り付けられた、
ことを特徴とする請求項１から請求項３のいずれか１項に記載の漏油検出装置。
【発明の詳細な説明】
【技術分野】
【０００１】
この発明は、漏油検出機能と水面凍結防止機能とを有する漏油検出装置に関する。
【背景技術】
【０００２】
従来から、発変電所構内には、発変電所構内の雨水等が最終的に集まる排水桝が設けられている。そして、その排水桝には、変圧器や発電機等から漏れ出た油が雨水等に混入しているか否かを検出する漏油検出器が配置されている。この排水桝に配置された漏油検出器は、排水桝内の雨水等に混入した油を検知すると、警報を発すると共に、排水桝内の雨水等を発変電所構外に排出するポンプの作動を停止させ、油が雨水等と共に発変電所構外にポンプで排出されるのを未然に防止するようになっている（特許文献１、２参照）。
【０００３】
図３は、漏油検出器４の概略構造を示す図である。この図３に示すように、漏油検出器４は、排水桝２内の雨水等（以下、水３と略称する）に浮かべた状態で設置され、検知電極１２が３箇所取り付けられ、フロート２３内に収容された検知回路１５から発生する高周波電流により検知電極１２の静電容量を計測している。そして、この漏油検出器４は、排水桝２内の水面３ａ上に油２４が流れ込むと、検知電極１２が油２４を通して水３と接触するため、検知電極１２の静電容量が大きく変化し、この静電容量の変化を検知回路１５で検出・増幅してケーブル１６を介して変換器１７に送り、変換器１７によって接点信号として出力するようになっている（油検知信号を出力する）。また、この漏油検出器４は、冬季の発変電所において、排水桝２内の水面３ａが凍結し、検知電極１２が氷によって水面３ａから離されて空気中に浮いた状態になると、検知電極１２の静電容量が大きく変化するため、排水桝２内の水面３ａ上に油２４が流れ込んだ状態と同様に、静電容量の変化を検知回路１５で検出・増幅し、変換器１７によって接点信号として出力する（油を検知していないのに、油を検知したとの誤検知信号を出力する）。なお、コントローラ１８は、変換器１７から接点信号が出力されると、排水ポンプ１４を停止させると共に、警報装置２０を作動させる（警報を発生させる）ようになっている。
【０００４】
このような、排水桝２内の水面３ａの凍結に起因する漏油検出器４の油誤検知を防止する方法としては、図示しない投光器（アイランプ）の光を排水桝２内の水面３ａに照射して、排水桝２内の水面３ａの表面温度を凍結温度以上に上昇させる第１の凍結防止方法と、図示しないヒーター（電熱棒）を排水桝２内の水３に沈め、そのヒーターの発する熱で水３の水温を上昇させることによって、排水桝２内の水面３ａの表面温度を凍結温度以上に上昇させる第２の凍結防止方法と、が採用されていた。
【先行技術文献】
【特許文献】
【０００５】
【特許文献１】特開２０１４−８９０９１号公報
【特許文献２】特開２０１２−１２７７１５号公報
【発明の概要】
【発明が解決しようとする課題】
【０００６】
しかしながら、第１の凍結防止方法及び第２の凍結防止方法は、共に熱を発生させて排水桝２内の水面３ａの凍結を防止するようになっているため、多大な電力を消費し、電気代が嵩むという問題を有していた。
【０００７】
そこで、本発明は、少ない消費電力で排水桝内の水面の凍結を防止でき、水面の凍結に起因する油の誤検知を防止できる漏油検出装置の提供を目的とする。
【課題を解決するための手段】
【０００８】
本発明は、排水桝２内の水面３ａに浮かせた状態で使用され、前記排水桝２内に流入した油を検知する漏油検出器４と、前記水面３ａの凍結を防止する水面凍結防止装置６と、を備えた漏油検出装置１に関するものである。この発明において、前記水面凍結防止装置１は、エアーポンプ７と、前記排水桝２内の水３に沈められて使用され、前記エアーポンプ７から空気配管１１を介して送られてくる空気を複数の孔１０ｂから前記排水桝２内の水３に放出して、前記排水桝２内の水３に気泡５を発生させる泡発生体１０と、を有している。
【発明の効果】
【０００９】
本発明に係る漏油検出装置は、エアーポンプから空気配管を介して供給される空気を泡発生体の複数の孔から排水桝内の水中に放出して気泡を生じさせ、その気泡で水面を変動させて、水面の凍結を防止するようになっており、熱を発生させて水面の凍結を防止するものでないため、熱を発生させて排水桝内の雨水等の水面の凍結を防止する場合と比較し、消費電力を低減でき、電気代を低減することが可能になった。
【図面の簡単な説明】
【００１０】
【図１】本発明の第１実施例に係る漏油検出装置を示す図である。
【図２】本発明の第２実施例に係る漏油検出装置を示す図である。
【図３】漏油検出器の概略構造を示す図である。
【発明を実施するための形態】
【００１１】
以下、本発明の実施例を図面に基づき詳述する。
【００１２】
（第１実施例）
図１は、本発明の第１実施例に係る漏油検出装置１を示す図である。この図１に示すように、本実施例に係る漏油検出装置１は、排水桝２内の雨水等（以下、水３と略称する）に浮かべられた漏油検出器４と、排水桝２内の水３に空気を吹き込んで気泡５を生じさせる水面凍結防止装置６と、を有している。なお、漏油検出器４は、例えば、旭化成テクノシステム株式会社の油漏れ検知器（ＣＳＲ−３００５）のような市販品が使用されており、図３に示した漏油検出器４と同一のものであるため、図３に示した漏油検出器４の説明と重複した説明を適宜省略する。
【００１３】
水面凍結防止装置６は、排水桝２の外部に設置されたエアーポンプ７と、排水桝２内の底面８側に設置された泡発生体１０と、これらエアーポンプ７と泡発生体１０とを接続する空気配管１１と、を有している。空気配管１１は、エアーポンプ７から延びる弾性変形可能なビニールホース１１ａと、水面３ａの変位に伴って昇降する漏油検出器４の動きをガイドする複数（例えば、３本又は４本）のパイプ状のガイド部材１１ｂと、を有している。そして、複数のガイド部材１１ｂは、下端側（排水桝２の底面８側）が泡発生体１０の外周縁側に固定されている。泡発生体１０は、導電性部材で形成された板状体であり、内部空間１０ａが空気配管１１に接続され、エアーポンプ７から空気配管１１を介して内部空間１０ａに供給された空気が複数の孔１０ｂから水中に放出され、排水桝２内の水３に気泡５を発生させるようになっている。また、泡発生体１０は、排水桝２内の水３が減少して水位が下がり、漏油検出器４の複数の検知電極（油検出部）１２が接触すると、複数の検知電極１２を導通するようになっている。このように、水面凍結防止装置６は、泡発生体１０が排水桝２内の水３に気泡５を生じさせ、排水桝２内の水３の水面（表面）３ａを気泡５によって変動させることができるため、外気温が氷点下（例えば、−２℃程度）になっても排水桝２内の水３の凍結を防止できる。
【００１４】
排水桝２は、その底面８の近傍に排水管１３が開口しており、内部の水３が排水管１３の途中に設置された排水ポンプ１４によって発変電所構外に排出されるようになっている。
【００１５】
本実施例に係る漏油検出装置１は、排水桝２内に油が流れ込んだ場合、排水桝２内の水３に浮かべられた漏油検出器４の複数の検知電極１２が油を介して水３と接触するため、検知電極１２の静電容量が大きく変化し、この静電容量の変化を検知回路１５で検出・増幅してケーブル１６を介して変換器１７に送り、変換器１７によって接点信号（油検知信号）としてコントローラ１８に出力するようになっている。コントローラ１８は、変換器１７からの接点信号が入力されると、排水ポンプ１４を停止させて、排水桝２内の油が発変電所構外に排出されるのを未然に防止することができる。また、コントローラ１８は、変換器１７からの接点信号が入力されると、警報装置２０を作動させる（例えば、警報ランプを点灯させ、警報音を発する）。これにより、作業者は、排水桝２に油が流れ込んだことを知ることができる。なお、漏油検出器４は、作動スイッチ（図示せず）をオンにすると、電気が外部電源から常時供給されるようになっている。また、エアーポンプ７は、排水桝２の近傍に設置された温度センサ２１が外気温度を検知し、その温度センサ２１が検知した外気温度が所定温度（例えば、０℃）以下になると、コントローラ１８からの作動信号によって通電され、空気を空気配管１１を介して泡発生体１０に供給するようになっている。また、エアーポンプ７は、温度センサ２１が検知した外気温度が所定温度（例えば、０℃）よりも高くなると、コントローラ１８からの作動停止信号によって通電が遮断され、作動を停止するようになっている。
【００１６】
以上のような構造の本実施例に係る漏油検出装置１は、外気温度が−２℃程度まで低下しても、水面凍結防止装置６が排水桝２内の水３に気泡５を生じさせるため、排水桝２内の水面３ａが気泡によって変動し、排水桝２内の水面３ａの凍結が防止され、漏油検出器４が水面凍結に起因する誤った接点信号（油検知信号）を出力することがない。なお、本実施例に係る漏油検出装置１は、水面凍結防止装置６の作動中（排水桝２内の水３に気泡５が生じている状態）と、水面凍結防止装置６の作動停止時（排水桝２内の水３に気泡５が生じていない状態）とにおいて、漏油検出器４の油検知性能に変化（差）がないことを動作実証試験で確認した。
【００１７】
また、本実施例に係る漏油検出装置１は、エアーポンプ７から空気配管１１を介して供給される空気を泡発生体１０の複数の孔１０ｂから排水桝２内の水３に放出して気泡５を生じさせ、その気泡５で水面３ａを変動させて、水面３ａの凍結を防止するようになっており、熱を発生させて水面３ａの凍結を防止するものでないため、従来の第１の凍結防止方法及び第２の凍結防止方法のような熱を発生させて排水桝２内の水面３ａの凍結を防止する場合と比較し、消費電力を低減でき、電気代を低減することが可能になった。例えば、従来の第１の凍結防止方法は、２７０Ｗの投光器を２灯（合計５４０Ｗ）使用して、排水桝２内の水面３ａの凍結を防止していた。また、従来の第２の凍結防止方法は、５００Ｗのヒーター（電熱棒）を排水桝２内の水３に沈め、そのヒーターで排水桝２内の水３を加熱して水面３ａの凍結を防止していた。このような従来の第１の凍結防止方法及び第２の凍結防止方法に対し、本実施例に係る漏油検出装置１は、２．６Ｗのエアーポンプ７で排水桝２内の水面３ａの凍結防止を図ることができ、消費電力を低減でき、電気代を低減することが可能になった。
【００１８】
（第２実施例）
図２は、本発明の第２実施例に係る漏油検出装置１を示す図である。この図２に示す漏油検出装置１は、エアーポンプ７を漏油検出器４のフロート上部壁２２の中央（漏油検出器４の重心位置）に取り付けたものであり、エアーポンプ７が漏油検出器４と一体となって排水桝２内を移動（昇降）するようになっている。このような本実施例に係る漏油検出装置１は、エアーポンプ７を漏油検出器４に取り付けた構成を除き、他の構成が第１実施例に係る漏油検出装置１と同様である。したがって、本実施例に係る漏油検出装置１は、第１実施例に係る漏油検出装置１と同様の構成部分に同一符号を付し、第１実施例に係る漏油検出装置１の説明と重複する説明を省略する。
【００１９】
本実施例に係る漏油検出装置１は、第１実施例に係る漏油検出装置１と同様の効果を得ることができる。
【００２０】
（その他の実施例）
本発明に係る漏油検出装置１は、第１及び第２実施例に係る漏油検出装置１の構成に限定されるものでなく、第１及び第２実施例に係る漏油検出装置１と同様の効果を得られる範囲内において、構成を適宜変更してもよい。例えば、第１及び第２実施形態に係る漏油検出装置１は、エアーポンプ７の作動制御（オン・オフ制御）を温度センサ２１の検知結果に基づいて行うようになっているが、エアーポンプ７のオン・オフを手動スイッチ（図示せず）の操作で行うようにしてもよい。
【００２１】
また、本発明に係る漏油検出装置１は、第１及び第２実施例に係る漏油検出装置１の構成に限定されるものでなく、ガイド部材１１ｂを省略し、空気配管１１を弾性変形可能な合成樹脂製ホース（例えば、ビニールホース１１ａ）のみで構成してもよい。
【符号の説明】
【００２２】
１……漏油検出装置、２……排水桝、３……水、３ａ……水面、４……漏油検出器、５……気泡、６……水面凍結防止装置、７……エアーポンプ、１０……泡発生体、１０ｂ……孔、１１……空気配管
【図１】
2020041946.tif 000003
【図２】
2020041946.tif 000004
【図３】
2020041946.tif 000005